(57)【要約】【課題】吸収体のキャパシティが限界に近い状態になったときに確実に報知することができる使い捨ておむつを提供する。【解決手段】液透過性の内面シート３と液不透過性の外面シート２との間に吸収体４を介在させて成り、かつ吸収体４が水分を吸収したときその水分と接触して変色した状態が外面シート２の外側から見える濡れ報知手段を備えている使い捨ておむつにおいて、濡れ報知手段としての模様１４を脚回り部１１に配設した。【選択図】        図１
2004236826.tif 000002
【特許請求の範囲】
【請求項１】
液透過性の内面シートと液不透過性の外面シートとの間に吸収体を介在させて成り、かつ吸収体が水分を吸収したときその水分と接触して変色した状態が外面シートの外側から見える濡れ報知手段を備えた使い捨ておむつにおいて、濡れ報知手段を脚回り部に配設したことを特徴とする使い捨ておむつ。
【請求項２】
股間部の前部にも濡れ報知手段を配設したことを特徴とする請求項１記載の使い捨ておむつ。
【発明の詳細な説明】
【０００１】
【発明の属する技術分野】
本発明は、幼児、失禁者等を対象とする使い捨ておむつに関し、特に吸収体による排尿の吸収が限界に近いことを報知することができる使い捨ておむつに関するものである。
【０００２】
【従来の技術】
使い捨ておむつは、フラット型とパンツ型に大別される。フラット型の使い捨ておむつは、液不透過性シートの外面に不織布を貼り合わせてクロス状の感触を持たせてなる外面シートと不織布などの液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
パンツ型の使い捨ておむつは、フラット型使い捨ておむつの前サイドフラップと後サイドフラップを予め接合して、左右一対のレッグ開口部とウェスト開口部を形成したもので、基本的構造はフラット型と同様である。
【０００４】
このような使い捨ておむつを着用した状態で排尿を知らせるために、使い捨ておむつの外面シートの内側にその湿気を検知して表示する濡れ報知手段を配置したものが知られている（例えば、特許文献１、特許文献２参照。）。
【０００５】
また、その濡れ報知手段として、外面シートの内面に、一連のアルファベットのブロックが散在した模様を印刷するとともに、各ブロックの外枠線は、濡れても溶けないインキを使って印刷し、ブロック上のアルファベットの文字は水溶性又は水分散性のインキで印刷し、排尿によって濡れたときにその濡れた部分のアルファベットの文字が消えることで、排尿を知らせるようにしたものが知られている（例えば、特許文献３参照。）。
【０００６】
【特許文献１】
米国特許第３６７５６５４号明細書
【０００７】
【特許文献２】
米国特許第３９５２７４６号明細書
【０００８】
【特許文献３】
米国特許第４０２２２１１号明細書
【０００９】
【発明が解決しようとする課題】
ところで、上記各特許文献に開示された濡れ報知手段は、使い捨ておむつの外面シートの内側の主として股間部に配設されており、使用者の排尿によって内蔵している吸収体の股間部が濡れると、直ちにその水分によって濡れ報知手段が機能して排尿されたことは知らされるが、その後は報知状態が維持されるだけであり、複数回の排尿によって吸収体のキャパシティが限界に達している状態になってもそのことは知ることができず、緊急におむつ交換することが必要か、まだ余裕があるのかが分からないという問題があった。
【００１０】
本発明は、上記従来の問題点に鑑み、吸収体のキャパシティが限界に近い状態になったときに確実に報知することができる使い捨ておむつを提供することを目的とする。
【００１１】
【課題を解決するための手段】
本発明の使い捨ておむつは、液透過性の内面シートと液不透過性の外面シートとの間に吸収体を介在させて成り、かつ吸収体が水分を吸収したときその水分と接触して変色した状態が外面シートの外側から見える濡れ報知手段を備えた使い捨ておむつにおいて、濡れ報知手段を脚回り部に配設したものである。
【００１２】
このような構成によると、吸収体のキャパシティが限界近くなって脚回りから尿漏れが発生しそうになると、その前に脚回り部に配設された濡れ報知手段が機能することで確実に知ることができ、その時点でおむつ交換することで、排尿の度におむつ交換をしなくても確実に尿漏れを防止することができる。また、脚回り部に濡れ報知手段の模様が表示されることでデザイン性を向上できるという効果も期待できる。
【００１３】
また、股間部の前部にも濡れ報知手段を配設すると、排尿によって吸収体が濡れたときに、吸収体のキャパシティに余裕がある状態でも知ることができるので、おむつ交換が絶対に必要となる報知が近いうちにされることが予告され、一層使い勝手を向上できる。
【００１４】
【発明の実施の形態】
以下、添付図面を参照して本発明の使い捨ておむつの実施形態について説明し、本発明の理解に供する。なお、以下に示す実施形態は本発明を具体化した例を示すものであって、本発明の技術的範囲を限定するものではない。
【００１５】
（第１の実施形態）
まず、本発明をパンツ型の使い捨ておむつに適用した第１の実施形態について、図１〜図３を参照して説明する。
【００１６】
図１において、１はパンツ型の使い捨ておむつで、ＰＥシートなどの液不透過性シート２ｂの外面に不織布２ａを貼り合わせてクロス状の感触を持たせてなる外面シート２と不織布などの液透過性シートからなる内面シート３とそれらの間に配置された吸収体４にて構成された長方形状のシート基材５が用いられている。このシート基材５の中央両側部にえぐり部５ａを形成して中央で折り曲げ、両側縁部５ｂ同士をヒートシールにて接続することで胴部６を形成するとともに、えぐり部５ａにて脚開口部７を形成して構成されている。胴部６の胴開口部８には紐ゴム９が内蔵されている。
【００１７】
シート基材５の脚開口部７を形成するえぐり部５ａの周辺部には、脚との間に生じた隙間から尿漏れを生じないように脚の回りに密着する脚回り部１１が設けられている。脚回り部１１は、図２に詳細に示すように、断面Ｕ字状に折り返えされた不織布などの液透過性シートからなる脚回りシート１２にて構成され、その一側縁部が外面シート２の不織布２ａに接着されるとともに、他側縁部が吸収体４を包み込むようにＵ字状に折り曲げられた内面シート３の側縁部に接着されている。この脚回りシート１２の外面シート２に連続する部分の内面には、外側縁部を除いて液不透過性シート２ｂが延設されて貼り合わされており、この脚回り部１１からの尿漏れが防止されている。また、この脚回り部１１を脚に密着するギャザー部とするため、Ｕ字状に折り返された脚回りシート１２の内部に複数本（図示例では５本）の糸ゴム１３が適当間隔おきに内蔵されている。
【００１８】
また、この脚回り部１１の脚回りシート１２の内面シート３側に折り返された部分の内面には、濡れ報知手段として、尿や水分と接触すると溶けて消えたり、他の色に変色する模様１４が印刷にて形成されている。この模様１４は吸収体４の内側に１０ｍｍ程度入った位置から脚回りシート１２の外側端から５ｍｍ程度の位置までの幅領域にわたって形成するのが好適である。
【００１９】
また、模様１４は、図３に示した例では、非水溶性インキによる印刷にて形成されて水分と接触しても変化しない不変模様１５と、水溶性インキによる印刷にて形成されて水分と接触すると溶けだして消える地模様を構成する可変模様１６にて構成されている。図示の具体例では、可変模様１６は水中を示す青い地模様とされ、不変模様１５は水中で泳ぐ魚形の赤い模様が分散配置され、吸収体４のキャパシティが限界になって模様１４が濡れると、可変模様１６が溶けて消えることで、魚形の赤い不変模様１５だけになって濡れ状態を報知するように構成されている。
【００２０】
非水溶性インキは、無機顔料や有機顔料などの顔料が用いられる。無機顔料としては、二酸化チタン、アルミナホワイト、硫化亜鉛、紺青、沈降性硫酸バリウム、沈降性炭酸カルシウム、含水ケイ酸塩、マンガンバイオレット、アルミニウム粉、カーボンブラック等が用いられる。有機顔料としては、ナフトールグリーンＢ、ナフトールエローＳ、リソールレッド、ファストエロー、クロモフタールエロー、クロモフタールレッド、ピーコックブルーレーキ、アルカリブルーレーキ、ローダミンレーキ、フタロシアニンブルー、アントラピリジンエロー、キナクリドンレッド、ジオキサジンバイオレット、イソインドリノンエロー、昼光蛍光顔料等が用いられる。また、水溶性インキは、染料（水や有機溶剤などの溶媒に溶解し、分子の状態で染色されるもの）を用いることができる。
【００２１】
また、好適には、図１に仮想線で示すように、使い捨ておむつ１の股間部の前部の位置における外面シート２の液不透過性シート２ｂの内面側に、濡れ報知手段としての模様１７が配設される。この模様１７は、図示例では非水溶性インキにより描かれた金魚鉢形の不変模様１８と、水溶性インキにより描かれた金魚形の可変模様１９とからなり、排尿によって水に濡れると可変模様１９の金魚が消えることで濡れを報知するように構成されている。
【００２２】
以上の構成の使い捨ておむつ１によれば、吸収体４のキャパシティが限界近くなって脚回り部１１から尿漏れが発生しそうになると、その前に脚回り部１１に配設された模様１４が濡れ、それによって模様１４の地模様を形成している可変模様１６が溶けて消え、魚形の赤い不変模様１５だけが残ることによって濡れ状態が報知され、脚回り部１１から尿漏れが発生する直前であることを確実に知ることができる。したがって、この時点で使い捨ておむつ１を交換することで、排尿の度におむつ交換をしなくても確実に尿漏れを防止することができる。また、脚回り部１１に適当な模様１４が表示されることでデザイン性を向上できるという効果も期待できる。
【００２３】
また、使い捨ておむつ１の股間部の前部の位置にも模様１７を配設することによって、使用者が排尿して吸収体４が濡れると、吸収体４のキャパシティに余裕がある状態でも排尿していることを知ることができ、まだ脚回り部１１から尿漏れが発生することはないが、近いうちに発生する可能性があることが予告されることで、一層使い勝手を向上できる。
【００２４】
なお、上記実施形態の説明では、脚回り部１１の濡れ報知手段として、不変模様１５と可変模様１６を有し、濡れることで可変模様１６が消えて不変模様１５のみが残るようにした模様１４を例示したが、可変模様１６が消えるのではなく、他の色に変色するものを用いても良く、また可変模様１６にて不変模様１５が隠れて見えない状態から、濡れて可変模様１６が消えたり、変色したりすることで不変模様１５が見えるようになる構成としても良い。また、濡れ報知手段が、模様１４ではなく、濡れると消えたり、変色したりする単純なライン状や帯状の着色帯にて構成してもよい。
【００２５】
また、上記実施形態の説明では、股間部の濡れ報知手段としての模様１７を、股間部の前部にのみ配設した例を示したが、この模様１７は少なくとも股間部の前部にあれば良く、使い捨ておむつ１の幅方向の略中央部で前後方向の略全長にわたって配設しても良いことは言うまでもない。
【００２６】
また、上記実施形態では、脚回り部１１を構成する脚回りシート１２が吸収体４の側縁部外面から側方に延出された例を示したが、この実施形態の変形例として、図４に示すように、液不透過性シート２ｂを内部のほぼ全幅にわたって配置した脚回りシート１２にて吸収体４の側部を巻き込んだ構成としても良い。詳しく説明すると、内面シート３の側縁部は吸収体４の側縁部を包み込み込むように外面側に折り返されており、外面シート２の側縁部がこの内面シート３の折り返された側縁部に重ねられた状態で溶着されている。脚回りシート１２は全幅にわたってＵ字状に折り返されるとともに、内部にほぼ全幅にわたって液不透過性シート２ｂが配置されており、その重ねられた側縁部近傍部分が吸収体４の側縁部の外面側から内面側にわたって包み込むように重合されて熱溶着され、また脚回りシート１２の内部には適当間隔おきに複数本の糸ゴム１３が配置されて脚回り部１１が構成されている。
【００２７】
そして、脚回りシート１２の内部に配置された液不透過性シート２ｂの内面側に、吸収体４の側縁部から脚回りシート１２の折り返し先端近傍の間にわたって模様１４が印刷されている。この変形例においても、同様の作用効果が得られることは言うまでもない。
【００２８】
（第２の実施形態）
次に、本発明をフラット型使い捨ておむつに適用した第２の実施形態について、図５、図６を参照して説明する。
【００２９】
図５において、使い捨ておむつ２１は、図６に示すように、ＰＥシートなどの液不透過性シート２２ｂの外面に不織布２２ａを貼り合わせてクロス状の感触を持たせてなる外面シート２２と不織布からなる内面シート２３との間に吸収体２４を介在させた構成で、前ウェスト部２５から股間部２６を経て後ウェスト部２７に至る縦長形状に形成されている。
【００３０】
前ウェスト部２５と後ウェスト部２７は、発泡ポリウレタンなどから成るテープ状の弾性伸縮部材を伸長させた状態でシート２２、２３に接合されることでギャザリングされ、ウェストにフィットするように構成されている。また、前ウェスト部２５及び後ウェスト部２７には、それぞれ両側外方に延出する前サイドフラップ２８と後サイドフラップ２９が設けられている。後サイドフラップ２９には止着テープ３０が設けられ、前ウェスト部２５には止着テープ３０の止着面となるフロントターゲットテープ３１が設けられている。フロントターゲットテープ３１は、その表面に止着面を構成する易剥離面が設けられ、また目印線３１ａが表示されている。
【００３１】
前ウェスト部２５と後ウェスト部２７間では、外面シート２２の不織布２２ａが、吸収体２４の両側縁より大きく外方に延出されて断面Ｕ字状に折り返されるとともに、内部に複数の伸長状態の糸ゴム３３を適当間隔おきに並列配置した状態で接着されることでギャザリングされた外縁部３２が形成され、かつこの外縁部３２の吸収体２４の側部で不織布２２ａと内面シート２３が接着され、さらに不織布２２ａが内面シート２３の内側に延出され、その先端部が折り返されるとともに内部に伸長状態の糸ゴム３５を内蔵した状態で接着されることで立体ギャザー部３４が形成されている。これら外縁部３２と立体ギャザー部３４にて、脚の周囲からの尿漏れを防止する脚回り部３６が構成されている。
【００３２】
この使い捨ておむつ２１の装着時には、着用者の背側に後ウェスト部２７、腹側に前ウェスト部２５を当てがい、目印線３１ａを目安に着用者の体格、体型に応じて止着テープ３０の止着位置を決め、フロントターゲットテープ３１に止着する。この止着テープ３０の止着により脚開口部が形成され、着用者の股部分を外縁部３２で包み込み、その内側に立体ギャザー部３４が位置して尿漏れが防止される。
【００３３】
このような全体構成の使い捨ておむつ２１において、脚回り部３６の外縁部３２と立体ギャザー部３４の間にわたり、不織布２２ａの内面に濡れ報知手段３７が印刷形成されている。この濡れ報知手段３７の具体的な構成は上記第１の実施形態の模様１４などが適用される。
【００３４】
以上の構成においても、吸収体２４のキャパシティが限界近くなって脚回り部３６から尿漏れが発生しそうになると、その前に脚回り部３６に配設された濡れ報知手段３７が機能して濡れ状態が報知され、脚回り部３６から尿漏れが発生する直前であることを確実に知ることができる。したがって、この時点で使い捨ておむつ２１を交換することで、排尿の度におむつ交換をしなくても確実に尿漏れを防止することができる。
【００３５】
なお、図５、図６の図示例では、脚回り部３６が外縁部３２と単一の立体ギャザー部３４から成っている例を示したが、図７に示すように、立体ギャザー部３４より外側の位置で、外縁部３２に外側立体ギャザー部３８を形成し、外縁部３２と外側立体ギャザー部３８と立体ギャザー部３４にて脚回り部３６を構成して、３段階で尿漏れを防止するようにした使い捨ておむつにおいては、外縁部３２と外側立体ギャザー部３８の間にわたって濡れ報知手段３７を印刷形成することで同様の作用効果を奏することができる。
【００３６】
図７においては、不織布２２ａをＵ字状に折り返して外縁部３２を形成するとともに、その先端側を内側に延出してＵ字状に折り返すとともにその折り返し部の内部に伸長状態の糸ゴム３９を内蔵させた状態で接着し、かつその先端部を帯状不織布４０の一側縁部を間に挟んで外面シート２２と接着することで外側立体ギャザー部３８を構成し、この帯状不織布４０と外面シート２２を吸収体２４の側部位置で、それらの間に内面シート２３の側縁部を挟んだ状態で接着し、さらに帯状不織布４０を内面シート２３の内側に延出し、その先端部を折り返すとともに内部に伸長状態の糸ゴム３５を内蔵した状態で接着することで立体ギャザー部３４を形成している。
【００３７】
なお、以上の実施形態において、濡れ報知手段１４、３７はＰＥシートなどの液不透過性シート２ｂ、２２ｂと不織布２ａ、２２ａを通して外面シート２、２２の外から目視するため、これらの液不透過性シート２ｂ、２２ｂの光透過性が低いと目視し難くなる場合がある。そこで、必要に応じて脚回り部１１、３６では、液不透過性シート２ｂ、２２ｂを透明度の高いシートにて構成するようにしても良い。
【００３８】
また、図２、図４、図５、図６では、構造の理解が容易なように、一部ではシートを分離した状態で表示したが、実際には対向する部分は相互に熱溶着等にて接着されている。
【００３９】
【発明の効果】
本発明の使い捨ておむつによれば、濡れ報知手段を脚回り部に配設したので、吸収体のキャパシティが限界近くなって脚回りから尿漏れが発生しそうになると、その前に脚回り部に配設された濡れ報知手段が機能することで確実に知ることができ、その時点でおむつ交換することで、排尿の度におむつ交換をしなくても確実に尿漏れを防止することができ、また脚回り部に濡れ報知手段の模様が表示されることでデザイン性を向上できるという効果も期待できる。
【図面の簡単な説明】
【図１】本発明の使い捨ておむつの第１の実施形態の構成を示す斜視図である。
【図２】図１のＡ−Ａ矢視分解拡大断面図である。
【図３】図２のＢ−Ｂ矢視図である。
【図４】同実施形態の変形例の図２と同様の断面図である。
【図５】本発明の使い捨ておむつの第２の実施形態の構成を示す斜視図である。
【図６】図５のＣ−Ｃ矢視分解拡大断面図である。
【図７】同実施形態の変形例の図５と同様の断面図である。
【符号の説明】
１、２１  使い捨ておむつ
２、２２  外面シート
３、２３  内面シート
４、２４  吸収体
１１  脚回り部
１４  模様（濡れ報知手段）
１７  濡れ報知手段
３６  脚回り部
３７  濡れ報知手段
【図１】
2004236826.tif 000003
【図２】
2004236826.tif 000004
【図３】
2004236826.tif 000005
【図４】
2004236826.tif 000006
【図５】
2004236826.tif 000007
【図６】
2004236826.tif 000008
【図７】
2004236826.tif 000009